(57)【要約】      （修正有）【課題】偽造が困難な媒体を提供する。【解決手段】第１光が画像１２に照射されたとき、第１絵柄領域２１および第１背景領域２２は、異色の領域として視認され、かつ、第２絵柄領域２６および第２背景領域２７は、同色の領域として視認される。また、第２光が画像１２に照射されたとき、第１絵柄領域２１および第１背景領域２２は、同色の領域として視認され、かつ、第２絵柄領域２６および第２背景領域２７は、異色の領域として視認される。さらに、第１ベクトルＶ１の向きと第２ベクトルＶ２の向きとが一致している。【選択図】図２
2014156025.tif 000002
【特許請求の範囲】
【請求項１】
基材上に画像が形成された媒体であって、
前記画像は、第１画像領域および第２画像領域を有し、
前記第１画像領域は、第１絵柄領域と、前記第１絵柄領域の周囲に配置された第１背景領域と、を含み、
前記第２画像領域は、第２絵柄領域と、前記第２絵柄領域の周囲に配置された第２背景領域と、を含み、
第１発光スペクトルを有する第１光が照射されたとき、前記第１絵柄領域は、第１色の領域として視認され、前記第１背景領域は、前記第１色とは異なる第２色の領域として視認され、かつ、前記第２絵柄領域および前記第２背景領域は、同色の領域として視認され、
前記第１発光スペクトルとは異なる第２発光スペクトルを有する第２光が照射されたとき、前記第１絵柄領域および前記第１背景領域は、同色の領域として視認され、前記第２絵柄領域は、第３色の領域として視認され、かつ、前記第２背景領域は、前記第３色とは異なる第４色の領域として視認され、
前記第１色、前記第２色、前記第３色および前記第４色をｘｙ色度図において表した場合、前記第１色に対応する色度座標から前記第２色に対応する色度座標に向かう第１ベクトルの向きと、前記第３色に対応する色度座標から前記第４色に対応する色度座標に向かう第２ベクトルの向きとが一致している、媒体。
【請求項２】
前記第１絵柄領域、前記第１背景領域、前記第２絵柄領域および前記第２背景領域はそれぞれ、前記基材上に設けられた第１インク、第２インクまたは色相変化インクの少なくともいずれか１つを含み、
前記第１インクおよび前記色相変化インクは、前記第１光が照射されたときには同色のものとして視認され、前記第２光が照射されたときには異色のものとして視認される、メタメリックペアインクの関係にあり、
前記第２インクおよび前記色相変化インクは、前記第１光が照射されたときには異色のものとして視認され、前記第２光が照射されたときには同色のものとして視認される、メタメリックペアインクの関係にある、請求項１に記載の媒体。
【請求項３】
前記色相変化インクは、その反射スペクトルが、ベースラインから下方に凸となっている負のピークであって、ベースラインの高さｈ０の０．５倍以上の深さを有するとともに５０ｎｍ以下の半値幅を有する負のピークを含むよう、構成されている、請求項２に記載の媒体。
【請求項４】
前記第１インクおよび前記第２インクはいずれも、その反射スペクトルがベースラインの高さｈ０の０．５倍以上の深さを有する負のピークを含まないよう、または、その反射スペクトルが５０ｎｍ以下の半値幅を有する負のピークを含まないよう、構成されている、請求項３に記載の媒体。
【請求項５】
前記基材上に設けられた前記第１インクを含む領域を第１サブ画素と定義し、前記基材上に設けられた前記第２インクを含む領域を第２サブ画素と定義し、前記基材上に設けられた色相変化インクを含む領域を第３サブ画素と定義する場合、前記第１絵柄領域、前記第１背景領域、前記第２絵柄領域および前記第２背景領域における、前記第１サブ画素、前記第２サブ画素および前記第３サブ画素の含有比率が、互いに異なっている、請求項２乃至４のいずれか一項に記載の媒体。
【請求項６】
前記第１サブ画素、前記第２サブ画素および前記第３サブ画素の寸法はいずれも、１０μｍ〜３００μｍの範囲内となっている、請求項５に記載の媒体。
【請求項７】
前記第１光は、第１白色光源から発光された第１白色光であり、
前記第２光は、第２白色光源から発光された第２白色光である、請求項１乃至６のいずれか一項に記載の媒体。
【請求項８】
前記第１白色光源および前記第２白色光源のうちの少なくともいずれか一方は、三波長形蛍光灯または白色ＬＥＤから構成されている、請求項７に記載の媒体。
【請求項９】
基材上に画像が形成された媒体の確認方法において、
前記媒体の前記画像は、第１画像領域および第２画像領域を有し、
前記第１画像領域は、第１絵柄領域と、前記第１絵柄領域の周囲に配置された第１背景領域と、を含み、
前記第２画像領域は、第２絵柄領域と、前記第２絵柄領域の周囲に配置された第２背景領域と、を含み、
第１発光スペクトルを有する第１光が照射されたとき、前記第１絵柄領域は、第１色の領域として視認され、前記第１背景領域は、前記第１色とは異なる第２色の領域として視認され、かつ、前記第２絵柄領域および前記第２背景領域は、同色の領域として視認され、
前記第１発光スペクトルとは異なる第２発光スペクトルを有する第２光が照射されたとき、前記第１絵柄領域および前記第１背景領域は、同色の領域として視認され、前記第２絵柄領域は、第３色の領域として視認され、かつ、前記第２背景領域は、前記第３色とは異なる第４色の領域として視認され、
前記第１色、前記第２色、前記第３色および前記第４色をｘｙ色度図において表した場合、前記第１色に対応する色度座標から前記第２色に対応する色度座標に向かう第１ベクトルの向きと、前記第３色に対応する色度座標から前記第４色に対応する色度座標に向かう第２ベクトルの向きとが一致しており、
前記媒体の確認方法は、
前記媒体を準備する工程と、
第１発光スペクトルを有する第１光を前記媒体に照射して、前記第１画像領域の前記第１絵柄領域と前記第１背景領域とが判別され、かつ、前記第２画像領域の前記第２絵柄領域と前記第２背景領域とが判別されないことを確認する工程と、
第２発光スペクトルを有する第２光を前記媒体に照射して、前記第１画像領域の前記第１絵柄領域と前記第１背景領域とが判別されず、かつ、前記第２画像領域の前記第２絵柄領域と前記第２背景領域とが判別されることを確認する工程と、を備え、
前記第１光を前記媒体に照射したときの、前記第１絵柄領域の色に対応する色度座標から前記第１背景領域の色に対応する色度座標に向かう、ｘｙ色度図上の第１ベクトルの向きと、前記第２光を前記媒体に照射したときの、前記第２絵柄領域の色に対応する色度座標から前記第２背景領域の色に対応する色度座標に向かう、ｘｙ色度図上の第２ベクトルの向きと、が一致していることを確認する工程をさらに含む、媒体の確認方法。
【発明の詳細な説明】
【技術分野】
【０００１】
本発明は、照射される光の波長スペクトルに応じて見え方が変化する画像が形成された媒体に関する。また本発明は、媒体の確認方法に関する。
【背景技術】
【０００２】
金券やプリペイドカードを含む有価証券や、免許証を含む身分証明書など、偽造を防止することが必要とされる媒体において、メタメリズムを応用したメタメリックペアインクを用いることが知られている。メタメリックペアインクとは、照射される光源の種類や、特定波長のみを透過させるフィルタの種類に応じて、同色に見えたり異なった色に見えたりする一対のインクのことである。このようなメタメリックペアインクを利用して画像を形成し、これによって偽造を防止することが提案されている。
【０００３】
例えば特許文献１においては、太陽光、蛍光灯、白熱電球等からの通常光下では同色に見えるが、所望のフィルタを通してみるか、又は所望のフィルタを通過させた光のもとで見ると一方が異なった色相に見えるメタメリックな性質を有する２ 種類のインクを用いて画像を形成することが提案されている。
【先行技術文献】
【特許文献】
【０００４】
【特許文献１】特開昭５４−１５９００４号公報
【発明の概要】
【発明が解決しようとする課題】
【０００５】
近年、照明技術の発達により、室内で使用される白色光源の発光スペクトルが従来と比べて変化している。例えば、室内で使用される蛍光灯は、従来は、普通形蛍光灯や一波長形蛍光灯と称される、連続的な波長分布を有する蛍光灯であった。一方、現在は、赤色、緑色および青色の各波長域でピークを有する三波長形蛍光灯が主流となっている。また、青色の波長域でピークを有するとともに、緑色や赤色などのその他の波長域においては連続的な波長分布を示すＬＥＤを使用した照明も増えてきている。このように、現在は様々な光源が照明として使用されている。
【０００６】
ところで、メタメリックペアインクを利用した従来の偽造防止媒体は、連続的な波長分布を有する蛍光灯や太陽光が照射されるときには画像が隠れるよう、構成されている。しかしながら上述のように、近年、特定の波長域にピークを有する白色光源が多く利用されている。従って、従来の偽造防止媒体においては、隠れているべき画像が白色光源下で現れてしまうという問題が生じることが考えられる。
【０００７】
本発明は、このような課題を効果的に解決し得る媒体を提供することを目的とする。
【課題を解決するための手段】
【０００８】
本発明は、基材上に画像が形成された媒体であって、前記画像は、第１画像領域および第２画像領域を有し、前記第１画像領域は、第１絵柄領域と、前記第１絵柄領域の周囲に配置された第１背景領域と、を含み、前記第２画像領域は、第２絵柄領域と、前記第２絵柄領域の周囲に配置された第２背景領域と、を含み、第１発光スペクトルを有する第１光が照射されたとき、前記第１絵柄領域は、第１色の領域として視認され、前記第１背景領域は、前記第１色とは異なる第２色の領域として視認され、かつ、前記第２絵柄領域および前記第２背景領域は、同色の領域として視認され、前記第１発光スペクトルとは異なる第２発光スペクトルを有する第２光が照射されたとき、前記第１絵柄領域および前記第１背景領域は、同色の領域として視認され、前記第２絵柄領域は、第３色の領域として視認され、かつ、前記第２背景領域は、前記第３色とは異なる第４色の領域として視認され、前記第１色、前記第２色、前記第３色および前記第４色をｘｙ色度図において表した場合、前記第１色に対応する色度座標から前記第２色に対応する色度座標に向かう第１ベクトルの向きと、前記第３色に対応する色度座標から前記第４色に対応する色度座標に向かう第２ベクトルの向きと、が一致している、媒体である。
【０００９】
本発明による媒体において、前記第１絵柄領域、前記第１背景領域、前記第２絵柄領域および前記第２背景領域はそれぞれ、前記基材上に設けられた第１インク、第２インクまたは色相変化インクの少なくともいずれか１つを含んでいてもよい。この場合、前記第１インクおよび前記色相変化インクは、前記第１光が照射されたときには同色のものとして視認され、前記第２光が照射されたときには異色のものとして視認される、メタメリックペアインクの関係にあり、また前記第２インクおよび前記色相変化インクは、前記第１光が照射されたときには異色のものとして視認され、前記第２光が照射されたときには同色のものとして視認される、メタメリックペアインクの関係にある。
【００１０】
本発明による媒体において、前記色相変化インクは、その反射スペクトルが、ベースラインから下方に凸となっている負のピークであって、ベースラインの高さｈ０の０．５倍以上の深さを有するとともに５０ｎｍ以下の半値幅を有する負のピークを含むよう、構成されていてもよい。
【００１１】
本発明による媒体において、前記第１インクおよび前記第２インクはいずれも、その反射スペクトルがベースラインの高さｈ０の０．５倍以上の深さを有する負のピークを含まないよう、または、その反射スペクトルが５０ｎｍ以下の半値幅を有する負のピークを含まないよう、構成されていてもよい。
【００１２】
本発明による媒体において、前記基材上に設けられた前記第１インクを含む領域を第１サブ画素と定義し、前記基材上に設けられた前記第２インクを含む領域を第２サブ画素と定義し、前記基材上に設けられた色相変化インクを含む領域を第３サブ画素と定義する場合、前記第１絵柄領域、前記第１背景領域、前記第２絵柄領域および前記第２背景領域における、前記第１サブ画素、前記第２サブ画素および前記第３サブ画素の含有比率が、互いに異なっていてもよい。
【００１３】
本発明による媒体において、前記第１サブ画素、前記第２サブ画素および前記第３サブ画素の寸法はいずれも、好ましくは１０μｍ〜３００μｍの範囲内となっている。
【００１４】
本発明による媒体において、前記第１光は、第１白色光源から発光された第１白色光であり、前記第２光は、第２白色光源から発光された第２白色光であってもよい。
【００１５】
本発明による媒体において、前記第１白色光源および前記第２白色光源のうちの少なくともいずれか一方は、三波長形蛍光灯または白色ＬＥＤから構成されていてもよい。
【００１６】
本発明は、基材上に画像が形成された媒体の確認方法において、上記記載の媒体を準備する工程と、第１発光スペクトルを有する第１光を前記媒体に照射して、前記第１画像領域の前記第１絵柄領域と前記第１背景領域とが判別され、かつ、前記第２画像領域の前記第２絵柄領域と前記第２背景領域とが判別されないことを確認する工程と、第２発光スペクトルを有する第２光を前記媒体に照射して、前記第１画像領域の前記第１絵柄領域と前記第１背景領域とが判別されず、かつ、前記第２画像領域の前記第２絵柄領域と前記第２背景領域とが判別されることを確認する工程と、を備え、前記第１光を前記媒体に照射したときの、前記第１絵柄領域の色に対応する色度座標から前記第１背景領域の色に対応する色度座標に向かう、ｘｙ色度図上の第１ベクトルの向きと、前記第２光を前記媒体に照射したときの、前記第２絵柄領域の色に対応する色度座標から前記第２背景領域の色に対応する色度座標に向かう、ｘｙ色度図上の第２ベクトルの向きと、が一致していることを確認する工程をさらに含む、媒体の確認方法である。
【発明の効果】
【００１７】
本発明によれば、その全容を解明することが困難な画像が形成された媒体を提供することができる。このため、媒体が偽造されることを抑制することができる。
【図面の簡単な説明】
【００１８】
【図１】図１は、本発明の第１の実施形態における媒体を示す平面図。
【図２】図２は、図１に示す媒体の画像を拡大して示す平面図。
【図３】図３は、図２の画像の第１絵柄領域を拡大して示す平面図。
【図４】図４は、図２の画像の第１背景領域を拡大して示す平面図。
【図５】図５は、図２の画像の第２絵柄領域を拡大して示す平面図。
【図６】図６は、図２の画像の第２背景領域を拡大して示す平面図。
【図７】図７（ａ）（ｂ）（ｃ）はそれぞれ、第１サブ画素、第２サブ画素および第３サブ画素を示す断面図。
【図８】図８は、第１白色光の発光スペクトルを示す図。
【図９】図９は、第２白色光の発光スペクトルを示す図。
【図１０】図１０は、その他の白色光の発光スペクトルを示す図。
【図１１】図１１は、色相変化インクを含む領域の反射スペクトルを示す図。
【図１２】図１２は、第１インクを含む領域の反射スペクトルを示す図。
【図１３】図１３は、第２インクを含む領域の反射スペクトルを示す図。
【図１４】図１４は、各領域の色相の色度座標を示すｘｙ色度図。
【図１５】図１５（ａ）（ｂ）（ｃ）（ｄ）は、第１白色光が照射されたときの、第１絵柄領域，第１背景領域，第２絵柄領域および第２背景領域を構成する各サブ画素の色相をそれぞれ示す図。
【図１６】図１６（ａ）（ｂ）（ｃ）（ｄ）は、第２白色光が照射されたときの、第１絵柄領域，第１背景領域，第２絵柄領域および第２背景領域を構成する各サブ画素の色相をそれぞれ示す図。
【図１７】図１７は、第１白色光が照射されたときの画像を示す平面図。
【図１８】図１８は、第２白色光が照射されたときの画像を示す平面図。
【発明を実施するための形態】
【００１９】
以下、図１乃至図１８を参照して、本発明の実施の形態について説明する。はじめに、本実施の形態による媒体１０を観察するために用いられる光の例について説明する。
【００２０】
媒体１０を観察するために用いられる光としては、例えば、互いに異なる発光スペクトルを有する２種類の白色光が用いられる。例えば、第１発光スペクトルを有する第１白色光として、三波長形蛍光灯から発光された白色光が用いられ、第２発光スペクトルを有する第２白色光として、白色ＬＥＤから発光された白色光が用いられる。
【００２１】
図８は、三波長形蛍光灯から発光された第１白色光の第１発光スペクトル４１を示す図である。第１発光スペクトル４１は、少なくとも３つの波長域でピークを有している。例えば図８に示すように、第１発光スペクトル４１は、青色波長域に存在する第１ピーク４１ａと、緑色波長域に存在する第２ピーク４１ｂと、赤色波長域に存在する第３ピーク４１ｃと、を含んでいる。各ピーク４１ａ，４１ｂ，４１ｃはいずれも、その半値幅が１０ｎｍ程度である急峻なピークとなっている。なお、各ピーク４１ａ，４１ｂ，４１ｃの波長や半値幅が特に限られることはなく、後述する色相変化インクの光学特性に応じて、様々なタイプの三波長形蛍光灯が用いられ得る。
【００２２】
図９は、白色ＬＥＤから発光された第２白色光の第２発光スペクトル４２を示す図である。第２白色光は、上述の第１白色光に比べて、より連続的な波長分布を有する光となっている。例えば図９に示すように、第２発光スペクトル４２は、青色波長域に存在する第１ピーク４２ａと、緑色波長域および赤色波長域にわたって連続的に広がる第２ピーク４２ｂと、を含んでいる。
【００２３】
次に、上述の第１白色光および第２白色光を用いて観察される媒体１０について説明する。はじめに図１および図２を参照して、媒体１０全体について説明する。
【００２４】
（媒体）
図１は、基材１１上に画像１２が形成された媒体１０の一例を示す平面図であり、図２は、図１に示す媒体１０の画像１２を拡大して示す平面図である。媒体１０は、例えば、商品券などの有価証券として構成されている。なお本実施の形態において、画像とは、特定の情報を示すまたは特定の情報を意味するものに限られることはない。例えば画像とは、図形、文字、模様、パターン、記号、柄、マーク、色彩等を広く含む概念である。
【００２５】
本実施の形態においては、画像１２が、媒体１０の真偽を判別するための真偽判別用画像として機能する。この画像１２は、図２に示すように、第１画像領域２０および第２画像領域２５を有している。第１画像領域２０は、「Ｏ」という画像に対応した輪郭を有する第１絵柄領域２１と、第１絵柄領域２１の周囲に配置された第１背景領域２２と、を含んでいる。第２画像領域２５は、「Ｋ」という画像に対応した輪郭を有する第２絵柄領域２６と、第２絵柄領域２６の周囲に配置された第２背景領域２７と、を含んでいる。後述するように、各領域２１，２２，２６，２７はそれぞれ、基材１１に設けられた第１インク、第２インクまたは色相変化インクの少なくともいずれか１つを含んでいる。
【００２６】
なお図２において、第１画像領域２０と第２画像領域２５との間の境界線１５ａ、第１絵柄領域２１と第１背景領域２２との間の境界線１５ｂ、および第２絵柄領域２６と第２背景領域２７との間の境界線１５ｃは、便宜上描かれているものであり、常に視認されるとは限らない。また図２において、第１画像領域２０と第２画像領域２５とが互いに接している例を示した。しかしながら、これに限られることはなく、第１画像領域２０と第２画像領域２５とは互いに離間していてもよい。
【００２７】
（絵柄領域および背景領域の構成）
次に、各領域２１，２２，２６，２７の具体的な構成について説明する。はじめに図３を参照して、第１絵柄領域２１の構成について説明する。図３は、図２の画像１２の第１絵柄領域２１を拡大して示す平面図である。
【００２８】
図３に示すように、第１絵柄領域２１は、規則的に並べられた複数の基本画素２１ａを含んでおり、各基本画素２１ａは、複数のサブ画素を含んでいる。例えば本実施の形態において、第１絵柄領域２１の各基本画素２１ａは４つのサブ画素に区画されており、４つのサブ画素は、図３に示すように、符号Ｐで表される１つの第１サブ画素Ｐと、符号Ｙで表される３つの第２サブ画素Ｙと、から構成されている。後述するように、第１絵柄領域２１に光を照射したときに第１絵柄領域２１に現れる色相は、基本画素２１ａにおける各サブ画素の含有比率によって決定される。従って、基本画素２１ａは、第１絵柄領域２１の色相を決定する上での基本単位であると言える。
【００２９】
図４乃至図６に示すように、第１背景領域２２、第２絵柄領域２６および第２背景領域２７もそれぞれ、第１絵柄領域２１と同様に、規則的に並べられた複数の基本画素２２ａ，２６ａ，２７ａを含んでおり、各基本画素２２ａ，２６ａ，２７ａはそれぞれ、４つのサブ画素を含んでいる。第１絵柄領域２１の場合と同様に、第１背景領域２２、第２絵柄領域２６および第２背景領域２７各々の色相も、各基本画素２２ａ，２６ａ，２７ａにおける各サブ画素の含有比率によって決定される。また本実施の形態において、各領域２１，２２，２６，２７は、各領域２１，２２，２６，２７における各サブ画素の含有比率が互いに異なるよう、構成されている。例えば、サブ画素として、上述の第１サブ画素Ｐおよび第２サブ画素Ｙに加えて第３サブ画素Ｍがさらに用いられる場合、各領域２１，２２，２６，２７における、第１サブ画素Ｐ、第２サブ画素Ｙおよび第３サブ画素Ｍの含有比率は、互いに異なっている。
【００３０】
例えば上述のように、第１絵柄領域２１における各サブ画素Ｐ，Ｙ，Ｍの含有比率は、１：３：０となっている。一方、図４に示すように、第１背景領域２２における各サブ画素Ｐ，Ｙ，Ｍの含有比率は、１：０：３となっている。また図５に示すように、第２絵柄領域２６における各サブ画素Ｐ，Ｙ，Ｍの含有比率は、０：２：２となっている。また図６に示すように、第２背景領域２７における各サブ画素Ｐ，Ｙ，Ｍの含有比率は、１：２：１となっている。
【００３１】
（各サブ画素の構成）
次に、各サブ画素Ｐ，Ｙ，Ｍの具体的な構成について、図７（ａ）（ｂ）（ｃ）を参照して説明する。図７（ａ）に示すように、第１サブ画素Ｐは、基材１１上に設けられた第１インク３３を含む領域として定義される。また図７（ｂ）に示すように、第２サブ画素Ｙは、基材１１上に設けられた第２インク３５を含む領域として定義される。また図７（ｃ）に示すように、第３サブ画素Ｍは、基材１１上に設けられた色相変化インク３１を含む領域として定義される。なお図７（ａ）（ｂ）（ｃ）に示す例においては、各サブ画素Ｐ，Ｙ，Ｍを構成する各インク３３，３５，３１が互いに接しないよう設けられている例を示したが、これに限られることはなく、各サブ画素Ｐ，Ｙ，Ｍを構成する各インク３３，３５，３１が互いに接していてもよい。
なお後述するように、第１絵柄領域２１および第１背景領域２２は、特定の光が照射されたときに同色の領域として視認されるよう、構成されている。同様に、第２絵柄領域２６および第２背景領域２７も、特定の光が照射されたときに同色の領域として視認されるよう、構成されている。絵柄領域と背景領域とを同色の領域として視認させるためには、絵柄領域と背景領域との間の境界が気づかれにくくなっていることが好ましい。この観点からは、各サブ画素Ｐ，Ｙ，Ｍを構成する各インク３３，３５，３１が互いに接しないよう設けられていることが有利である。
【００３２】
各サブ画素Ｐ，Ｙ，Ｍの寸法ｔは、例えば１０μｍ〜３００μｍの範囲内になっており、好ましくは２０μｍ〜１５０μｍの範囲内になっている。これによって、各領域２１，２２，２６，２７が視認される際の色相を、各基本画素２１ａ，２２ａ，２６ａ，２７ａにおける各サブ画素Ｐ，Ｙ，Ｍの含有比率に応じた色相とすることができる。すなわち、各領域２１，２２，２６，２７が視認される際の色相を、各サブ画素Ｐ，Ｙ，Ｍの色が混合された結果として得られる色相にすることができる。
【００３３】
各インク３３，３５，３１を基材１１に設ける方法が特に限られることはなく、公知の方法が適宜用いられる。例えば、スクリーン印刷法、オフセット印刷法やインクジェット印刷法を用いることができる。
【００３４】
基材１１の材料が特に限られることはなく、媒体１０により構成する有価証券の種類に応じて適宜選択される。例えば、基材１１の材料として、優れた印刷適性および加工適性を有する白色のポリエチレンテレフタレートが用いられる。また、証券用紙や紙幣用紙を構成するための紙が基材１１として用いられてもよい。基材１１の厚みは、媒体１０により構成される有価証券の種類に応じて適宜設定される。
【００３５】
[第１インク、第２インクおよび色相変化インク]
次に、各サブ画素Ｐ，Ｙ，Ｍを構成するインク３３，３５，３１について説明する。第１インク３３および色相変化インク３１は、上述の第１白色光が照射されたときには同色のものとして視認され、上述の第２白色光が照射されたときには異色のものとして視認されるよう、構成されている。すなわち第１インク３３および色相変化インク３１は、メタメリックペアインクの関係にある。また第２インク３５および色相変化インク３１は、上述の第１白色光が照射されたときには異色のものとして視認され、上述の第２白色光が照射されたときには同色のものとして視認されるよう、構成されている。すなわち第２インク３５および色相変化インク３１も、メタメリックペアインクの関係にある。
【００３６】
ここで「同色」とは、肉眼では色の違いを判別できない程度に２つの色の色相が近接していることを意味している。より具体的には、「同色」とは、２つの色の色差ΔＥ＊ａｂが２０以下、好ましくは１０以下、さらに好ましくは３以下であることを意味している。また「異色」とは、２つの色の色差ΔＥ＊ａｂが２０よりも大きいことを意味している。ここで色差ΔＥ＊ａｂとは、Ｌ＊ａ＊ｂ＊表色系におけるＬ＊、ａ＊およびｂ＊に基づいて算出される値であり、肉眼で観察された場合の色の相違に関する指標となる値である。なお、Ｌ＊ａ＊ｂ＊表色系におけるＬ＊、ａ＊およびｂ＊や、ＸＹＺ表色系における三刺激値Ｘ、ＹおよびＺは、光のスペクトルなどに基づいて算出される。またＬ＊、ａ＊およびｂ＊と三刺激値Ｘ、Ｙ、Ｚとの間には、周知の変換式に従う関係が成立している。
【００３７】
上記の三刺激値は、例えば分光光度計、色差計、測色計、色彩計、色度計等の計測器を用いることにより計測され得る。これらの計測器のうち分光光度計は、各波長の分光反射率を求めることができるので、三刺激値を精度良く計測することができ、このため色差の解析に適している。
【００３８】
色差ΔＥ＊ａｂを算出するためには、例えば、はじめに、比較する２つのインクからの光を分光光度計によって計測し、その結果に基づいて、各インクの三刺激値Ｘ、Ｙ、Ｚ、またはＬ＊、ａ＊、ｂ＊を算出する。次に、各インクにおけるＬ＊、ａ＊、ｂ＊の差ΔＬ＊、Δａ＊、Δｂ＊から、以下の式に基づいて色差を算出する。
【数１】
2014156025.tif 000003
【００３９】
以下、各インク３１，３３，３５の反射スペクトルについて説明する。図１１は、色相変化インク３１の反射スペクトルを示す図であり、図１２は、第１インク３３の反射スペクトルを示す図であり、図１３は、第２インク３５の反射スペクトルを示す図である。各反射スペクトルは、基準となる物体からの反射光と、各インク３１，３３，３５からの反射光との強度比を、分光光度計を用いて測定することにより得られるものである。基準となる物体としては、通常、標準白色板が用いられる。図１１乃至図１３において、縦軸に示すＲが、基準となる物体からの反射光と、インクからの反射光との強度比を意味している。なお各インク３１，３３，３５からの反射光には、各インク３１，３３，３５によって反射された光だけでなく、基材１１によって反射された光や、必要に応じて設けられるその他の層によって反射された光も含まれている。従って、図１１乃至図１３に示す反射スペクトルは、各インク３１，３３，３５および対応する基材１１やその他の層を含む領域における反射スペクトルであると言える。
【００４０】
図１１に示すように、色相変化インク３１の反射スペクトル３２は、緑色波長域に存在し、ベースライン３２ｅから下方に凸となっている負のピーク３２ｂを含んでいる。この負のピーク３２ｂは、以下の特徴（１）および（２）を満たしている。
（１）ベースラインの高さｈ０の０．５倍以上の深さｄを有していること。
（２）５０ｎｍ以下の半値幅ｗを有していること。
なお、負のピーク３２ｂのベースライン３２ｅを決定する方法が特に限られることはなく、スペクトル解析における一般的な手法が用いられる。例えば、負のピーク３２ｂの波長よりも長波長側の波長域における反射の最大値、および、負のピーク３２ｂの波長よりも短波長側の波長域における反射の最大値を結ぶ線がベースライン３２ｅとして描かれる。また、ベースライン３２ｅを決定する際に解析対象となる波長範囲が制限されてもよい。例えば、負のピーク３２ｂの波長から長波長側にｓｎｍ広がる範囲内における反射の最大値、および、負のピーク３２ｂの波長から短波長側ｓｎｍ広がる範囲内における反射の最大値を結ぶ線がベースライン３２ｅとして描かれてもよい。ｓの値は、求められる色相変化の程度などに応じて適宜定められるが、例えば５０となっている。
【００４１】
以下、上述の特徴（１）および（２）を満たす負のピーク３２ｂの作用について説明する。
上述のように、第１白色光の第１発光スペクトル４１は、緑色波長域に存在する急峻な第２ピーク４１ｂを有している。従って、第１白色光が色相変化インク３１に照射された場合、色相変化インク３１によって反射される前後で、第１白色光に含まれる緑色成分の強度が大きく低下し、この結果、第１白色光の色相が大きく変化する。具体的には、反射の前後で第１白色光の色相が白色から桃色に変化する。以下の説明において、色相変化インク３１を含む領域に対して第１白色光が照射されたときに現れる色相のことを桃色Ｐｍとも称する。
一方、第２白色光の第２発光スペクトル４２の第２ピーク４２ｂは、緑色波長域および赤色波長域にわたって連続的に広がっている。すなわち、第２発光スペクトル４２の第２ピーク４２ｂの幅は、色相変化インク３１の負のピーク３２ｂの幅よりも十分に広くなっている。このため、第２白色光が色相変化インク３１に照射され、これによって色相変化インク３１の負のピーク３２ｂの分だけ第２白色光に含まれる緑色成分の強度が低下したとしても、色相変化インク３１の負のピーク３２ｂが第２白色光の色相に与える影響は、第１白色光の場合に比べて小さい。この結果、色相変化インク３１による反射の前後で、第２白色光の色相は例えば白色から黄色に変化する。以下の説明において、色相変化インク３１を含む領域に対して第２白色光が照射されたときに現れる色相のことを黄色Ｙｍとも称する。
【００４２】
このように本実施の形態によれば、色相変化インク３１の反射スペクトル３２が、上述の特徴（１）および（２）を満たす負のピーク３２ｂを含んでいるので、色相変化インク３１を含む領域の色相を、照射される光のスペクトルに応じて変化させることができる。以下の説明において、色相変化インク３１を含む領域であって、その反射スペクトルが上述の特徴（１）および（２）を有する負のピークを備える領域のことを、色相変化領域とも称する。本実施の形態においては、色相変化インク３１を含んでいる第３サブ画素Ｍが、色相変化領域となっている。
【００４３】
好ましくは、色相変化インク３１は、第１白色光の第１発光スペクトル４１に含まれるピーク４１ａ，４１ｂ，４１ｃのいずれかのピーク波長に一致または近接するピーク波長を有し、かつ上述の特徴（１）および（２）を満たす負のピークを含むよう、構成または選択される。これによって、第１白色光に対する色相変化インク３１の色相変化効果をより大きくすることができる。なお図１１に示すように、色相変化インク３１は、緑色波長域に存在する負のピーク３２ｂ以外にも、青色波長域に存在する負のピーク３２ａや赤色波長域に存在する負のピーク３２ｃなどのその他の負のピークを含んでいてもよい。これらの負のピーク３２ａ，３２ｃは、上述の特徴（１）および（２）を満たしていてもよく、若しくは満たしていなくてもよい。
【００４４】
色相変化インク３１としては、公知の様々な色相変化インクを適宜用いることができる。例えば、照射される白色光のスペクトルに応じて桃色または黄色を示すことができる色相変化インクとしては、Ｓｔａｒｄｕｓｔ  Ｍａｔｅｒｉａｌｓ  ＬＬＣ；の「ＣＲ８」というインクを挙げることができる。
【００４５】
次に第１インク３３および第２インク３５について説明する。図１２に示すように、第１インク３３の反射スペクトル３４は、ベースライン３４ｂから下方に凸となっている負のピーク３４ａを含んでいる。しかしながら、負のピーク３４ａの半値幅は明らかに５０ｎｍよりも大きくなっている。従って第１インク３３の反射スペクトル３４は、上述の特徴（１）および（２）を満たす負のピークを含んでいないと言える。従って、照射される光のスペクトルに応じた反射光の色相の差が生じにくい。例えば、第１インク３３によって反射された第１白色光および第２白色光は、いずれも桃色Ｐ１および桃色Ｐ２として視認される。また図１３に示すように、第２インク３５の反射スペクトル３６は明らかに、上述の特徴（１）および（２）を満たす負のピークを含んでいない。従って、照射される光のスペクトルに応じた反射光の色相の差が生じにくい。例えば、第２インク３５によって反射された第１白色光および第２白色光は、いずれも黄色Ｙ１および黄色Ｙ２として視認される。以下の説明において、第１インク３３や第２インク３５のような、照射される光のスペクトルに応じた反射光の色相の差を生じさせにくいインクのことを、すなわち、その反射スペクトルが上述の特徴（１）を有する負のピークを含まない、または、その反射スペクトルが上述の特徴（２）を有する負のピークを含まない、インクのことを、非色相変化インクとも称する。また、非色相変化インクを含む領域のことを、非色相変化領域とも称する。本実施の形態においては、第１インク３３を含んでいる第１サブ画素Ｐおよび第２インク３５を含んでいる第２サブ画素Ｙが、非色相変化領域となっている。
【００４６】
第１インク３３および第２インク３５としては、色相変化インク３１が示す２つの色のいずれか一方の色に対応する公知の様々なインクを用いることができる。
例えば、桃色を示すインクとしては、ＤＩＣグラフィックス社製の「ＵＶ ＢＦ Ｄ―３３０ ピンクＷ」や、「ＮＳ Ｄ−３３０ ピンク」を挙げることができる。前者は、ＵＶ硬化タイプのインクであり、後者は、酸化重合タイプのインクである。その他にも、桃色を示すインクとして、同社製の「ＵＶ ＢＦ ＳＧ２０ 紅赤」や「ＮＳ ＡＺ ２０ 紅赤」を用いることもできる。
また、黄色を示すインクとしては、ＤＩＣグラフィックス社製の「ＵＶ ＢＦ ＡＺ Ｄ−５４０ イエロー」や、「ＮＳ Ｄ−５４０ イエロー」を挙げることができる。前者は、ＵＶ硬化タイプのインクであり、後者は、酸化重合タイプのインクである。その他にも、黄色を示すインクとして、同社製の「ＵＶ ＢＦ ＳＧ ２４ 赤黄」を用いることもできる。
【００４７】
なお、黄色Ｙｍ、黄色Ｙ１および黄色Ｙ２の色相は、互いにわずかに相違していることがある。同様に、桃色Ｐｍ、桃色Ｐ１および桃色Ｐ２の色相も、互いにわずかに相違していることがある。しかしながら、黄色Ｙｍ、黄色Ｙ１および黄色Ｙ２の間における色差、並びに、桃色Ｐｍ、桃色Ｐ１および桃色Ｐ２の間における色差は、黄色と桃色との間の色差に比べれば十分に小さいものである。従って、ここでは、黄色Ｙｍ、黄色Ｙ１および黄色Ｙ２をいずれも一律に黄色とみなし、桃色Ｐｍ、桃色Ｐ１および桃色Ｐ２をいずれも一律に桃色とみなす。
【００４８】
（各領域の色相）
次に、このような構成からなる本実施の形態の作用および効果について説明する。はじめに図１４乃至図１６を参照して、第１白色光または第２白色光が照射されたときの各領域２１，２２，２６，２７の色相について説明する。図１４は、各領域２１，２２，２６，２７の色相の色度座標を示すｘｙ色度図である。
【００４９】
[第１白色光照射時]
はじめに、第１発光スペクトル４１を有する第１白色光が照射されたときの各領域２１，２２，２６，２７の色相について説明する。図１５（ａ）（ｂ）（ｃ）（ｄ）は、第１白色光が照射されたときの、各領域２１，２２，２６，２７の基本画素２１ａ，２２ａ，２６ａ，２７ａを構成する各サブ画素の色相をそれぞれ示す図である。
【００５０】
上述のように、第１絵柄領域２１の基本画素２１ａは、１つの第１サブ画素Ｐおよび３つの第２サブ画素Ｙから構成されている。このため図１５（ａ）に示すように、第１白色光が照射されたとき、基本画素２１ａを構成する４つのサブ画素のうち、１つのサブ画素には桃色Ｐ１の色相が現れ、３つのサブ画素には黄色Ｙ１の色相が現れる。この結果、第１絵柄領域２１は、各サブ画素の色が混合された結果として得られる橙色の領域として視認される。以下の説明において、桃色のサブ画素と黄色のサブ画素とを１：３の比率で含む領域のことを橙色領域Ｐ１Ｙ３とも称する。また、第１白色光が照射されたときに第１絵柄領域２１に現れる色相のことを第１色とも称する。
【００５１】
第１背景領域２２の基本画素２２ａは、１つの第１サブ画素Ｐおよび３つの第３サブ画素Ｍから構成されている。このため図１５（ｂ）に示すように、第１白色光が照射されたとき、基本画素２２ａを構成する４つのサブ画素のうち、１つのサブ画素には桃色Ｐ１の色相が現れ、３つのサブ画素には桃色Ｐｍの色相が現れる。この結果、第１背景領域２２は、各サブ画素の色が混合された結果として得られる桃色の領域として視認される。以下の説明において、桃色のサブ画素と黄色のサブ画素とを４：０の比率で含む領域のことを桃色領域Ｐ４Ｙ０とも称する。また、第１白色光が照射されたときに第１背景領域２２に現れる色相のことを第２色とも称する。
【００５２】
第２絵柄領域２６の基本画素２６ａは、２つの第２サブ画素Ｙおよび２つの第３サブ画素Ｍから構成されている。このため図１５（ｃ）に示すように、第１白色光が照射されたとき、基本画素２６ａを構成する４つのサブ画素のうち、２つのサブ画素には黄色Ｙ１の色相が現れ、２つのサブ画素には桃色Ｐｍの色相が現れる。この結果、第２絵柄領域２６は、各サブ画素の色が混合された結果として得られる鮭色の領域として視認される。以下の説明において、桃色のサブ画素と黄色のサブ画素とを２：２の比率で含む領域のことを鮭色領域Ｐ２Ｙ２とも称する。
【００５３】
第２背景領域２７の基本画素２７ａは、１つの第１サブ画素Ｐ、２つの第２サブ画素Ｙおよび１つの第３サブ画素Ｍから構成されている。このため図１５（ｄ）に示すように、第１白色光が照射されたとき、基本画素２７ａを構成する４つのサブ画素のうち、１つのサブ画素には桃色Ｐ１の色相が現れ、２つのサブ画素には黄色Ｙ１の色相が現れ、１つのサブ画素には桃色Ｐｍの色相が現れる。この結果、第２背景領域２７は、各サブ画素の色が混合された結果として得られる鮭色領域Ｐ２Ｙ２として視認される。
【００５４】
上述の桃色領域Ｐ４Ｙ０、鮭色領域Ｐ２Ｙ２および橙色領域Ｐ１Ｙ３の色に対応する色度座標が、図１４にそれぞれ符号Ｐ４Ｙ０、Ｐ２Ｙ２およびＰ１Ｙ３で表されている。また、上述の第１色に対応する色度座標から上述の第２色に対応する色度座標に向かう第１ベクトル、すなわち符号Ｐ１Ｙ３で表される色度座標から符号Ｐ４Ｙ０で表される色度座標に向かう第１ベクトルが符号Ｖ１で表されている。なお符号Ｐ０Ｙ４は、桃色のサブ画素と黄色のサブ画素とを０：４の比率で含む黄色領域の色に対応する色度座標を示している。
【００５５】
上述のように、鮭色領域Ｐ２Ｙ２および橙色領域Ｐ１Ｙ３はいずれも、桃色のサブ画素と黄色のサブ画素とを所定の比率で含むことにより得られる領域である。従って、ｘｙ色度図上において、鮭色領域Ｐ２Ｙ２および橙色領域Ｐ１Ｙ３の色に対応する色度座標はいずれも、桃色領域Ｐ４Ｙ０に対応する色度座標と黄色領域Ｐ０Ｙ４に対応する色度座標とを結ぶ直線上に位置している。また、第１ベクトルＶ１は、桃色領域Ｐ４Ｙ０に対応する色度座標から黄色領域Ｐ０Ｙ４に対応する色度座標に向かうベクトルと平行になっている。
【００５６】
[第２白色光照射時]
次に、第２発光スペクトル４２を有する第２白色光が照射されたときの各領域２１，２２，２６，２７の色相について説明する。図１６（ａ）（ｂ）（ｃ）（ｄ）は、第２白色光が照射されたときの、各領域２１，２２，２６，２７の基本画素２１ａ，２２ａ，２６ａ，２７ａを構成する各サブ画素の色相をそれぞれ示す図である。
【００５７】
図１６（ａ）に示すように、第２白色光が照射されたとき、基本画素２１ａを構成する４つのサブ画素のうち、１つのサブ画素には桃色Ｐ２の色相が現れ、３つのサブ画素には黄色Ｙ２の色相が現れる。この結果、第１絵柄領域２１は、桃色のサブ画素と黄色のサブ画素とを１：３の比率で含む橙色領域Ｐ１Ｙ３として視認される。
【００５８】
図１６（ｂ）に示すように、第２白色光が照射されたとき、基本画素２２ａを構成する４つのサブ画素のうち、１つのサブ画素には桃色Ｐ２の色相が現れ、３つのサブ画素には黄色Ｙｍの色相が現れる。この結果、第１背景領域２２は、桃色のサブ画素と黄色のサブ画素とを１：３の比率で含む橙色領域Ｐ１Ｙ３として視認される。
【００５９】
図１６（ｃ）に示すように、第２白色光が照射されたとき、基本画素２６ａを構成する４つのサブ画素のうち、２つのサブ画素には黄色Ｙ２の色相が現れ、２つのサブ画素には黄色Ｙｍの色相が現れる。この結果、第２絵柄領域２６は、桃色のサブ画素と黄色のサブ画素とを０：４の比率で含む黄色領域Ｐ０Ｙ４として視認される。なお、第２白色光が照射されたときに第２絵柄領域２６に現れる色相のことを第３色とも称する。
【００６０】
図１６（ｄ）に示すように、第２白色光が照射されたとき、基本画素２７ａを構成する４つのサブ画素のうち、１つのサブ画素には桃色Ｐ２の色相が現れ、２つのサブ画素には黄色Ｙ２の色相が現れ、１つのサブ画素には黄色Ｙｍの色相が現れる。この結果、第２背景領域２７は、桃色のサブ画素と黄色のサブ画素とを１：３の比率で含む橙色領域Ｐ１Ｙ３として視認される。なお、第２白色光が照射されたときに第２背景領域２７に現れる色相のことを第４色とも称する。
【００６１】
図１４において、上述の第３色に対応する色度座標から上述の第４色に対応する色度座標に向かう第２ベクトル、すなわち符号Ｐ０Ｙ４で表される色度座標から符号Ｐ１Ｙ３で表される色度座標に向かう第２ベクトルが符号Ｖ２で表されている。上述のように、色領域Ｐ１Ｙ３の色に対応する色度座標は、桃色領域Ｐ４Ｙ０に対応する色度座標と黄色領域Ｐ０Ｙ４に対応する色度座標とを結ぶ直線上に位置している。従って、第２ベクトルＶ２は、上述の第１ベクトルＶ１と平行になっている。また第１ベクトルＶ１および第２ベクトルＶ２はいずれも、黄色領域Ｐ０Ｙ４に対応する色度座標から桃色領域Ｐ４Ｙ０に対応する色度座標に向かっている。すなわち、第１ベクトルＶ１および第２ベクトルＶ２は、互いに平行になっているだけでなく、その向きも一致している。
なお上述のように、黄色Ｙｍ、黄色Ｙ１および黄色Ｙ２の間での色相は互いにわずかに相違していることがあり、また桃色Ｐｍ、桃色Ｐ１および桃色Ｐ２の間での色相も、互いにわずかに相違していることがある。従って、第１ベクトルＶ１および第２ベクトルＶ２は、厳密には平行になっていないことも考えられる。従って本実施の形態において、平行とは、黄色Ｙｍ、黄色Ｙ１および黄色Ｙ２の色相の相違、並びに、桃色Ｐｍ、桃色Ｐ１および桃色Ｐ２の色相の相違に起因する微差の範囲内で、第１ベクトルＶ１および第２ベクトルＶ２が互いにほぼ平行に延びていることを意味している。
【００６２】
（確認方法）
次に図１７および図１８を参照して、媒体１０から構成された有価証券が正規のものであるかどうかを確認する方法について説明する。図１７は、第１白色光が照射されたときの画像１２を示す平面図であり、図１８は、第２白色光が照射されたときの画像１２を示す平面図である。
【００６３】
[第１白色光照射時]
はじめに、第１発光スペクトル４１を有する第１白色光を媒体１０に照射する。この場合、複数の基本画素２１ａから構成された第１絵柄領域２１は、第１色の領域として、ここでは橙色領域Ｐ１Ｙ３として視認される。一方、第１絵柄領域２１の周囲に配置され、複数の基本画素２２ａから構成された第１背景領域２２は、第１色とは異なる第２色の領域として、ここでは桃色領域Ｐ４Ｙ０として視認される。この結果、図１７に示すように、第１絵柄領域２１と第１背景領域２２とが判別され、このため、第１画像領域２０に「Ｏ」という画像が現れる。
【００６４】
複数の基本画素２６ａから構成された第２絵柄領域２６は、鮭色領域Ｐ２Ｙ２として視認される。また、第２絵柄領域２６の周囲に配置され、複数の基本画素２７ａから構成された第２背景領域２７も、鮭色領域Ｐ２Ｙ２として視認される。このように、第１白色光が照射されたとき、第２絵柄領域２６および第２背景領域２７は同色の領域として視認される。この結果、図１７に示すように、第２絵柄領域２６と第２背景領域２７とは判別されない。すなわち、第２画像領域２５に「Ｋ」という画像は現れない。
【００６５】
[第２白色光照射時]
次に、第２発光スペクトル４２を有する第２白色光を媒体１０に照射する。この場合、第１絵柄領域２１は、橙色領域Ｐ１Ｙ３として視認される。また、第１絵柄領域２１の周囲に配置された第１背景領域２２も、橙色領域Ｐ１Ｙ３として視認される。このように、第２白色光が照射されたとき、第１絵柄領域２１および第１背景領域２２は同色の領域として視認される。この結果、図１８に示すように、第１絵柄領域２１と第１背景領域２２とは判別されない。すなわち、第１画像領域２０に「Ｏ」という画像は現れない。
【００６６】
第２白色光が照射されたとき、第２絵柄領域２６は、第３色の領域として、ここでは黄色領域Ｐ０Ｙ４として視認される。一方、第２絵柄領域２６の周囲に配置された第２背景領域２７は、第３色とは異なる第４色の領域として、ここでは橙色領域Ｐ１Ｙ３として視認される。この結果、図１８に示すように、第２絵柄領域２６と第２背景領域２７とが判別され、このため、第２画像領域２５に「Ｋ」という画像が現れる。
【００６７】
このように本実施の形態によれば、タイプの異なる２種類の白色光源のいずれが用いられる場合であっても、第１画像領域２０および第２画像領域２５のいずれか一方の画像を隠し、かつ、第１画像領域２０および第２画像領域２５のいずれか一方の画像を発現させることができる。このため、画像１２のパターンの全容が解明されることを抑制することができる。これによって、媒体１０から構成される有価証券が偽造されることを抑制することができる。
【００６８】
また本実施の形態によれば、一般的に用いられている２種類の白色光源を準備することにより、第１画像領域２０および第２画像領域２５に画像が現れるかどうかを検査することができる。このため、専用光源やフィルタなどの特殊な設備を用いることなく、媒体１０が正規のものかどうかを簡易かつ迅速に判別することができる。
【００６９】
また本実施の形態によれば、第１白色光を媒体１０に照射したときの、第１絵柄領域２１の色に対応する色度座標から第１背景領域２２の色に対応する色度座標に向かう、ｘｙ色度図上の第１ベクトルＶ１の向きと、第２白色光を媒体１０に照射したときの、第２絵柄領域２６の色に対応する色度座標から第２背景領域２７の色に対応する色度座標に向かう、ｘｙ色度図上の第２ベクトルＶ２の向きと、が一致している。
この結果、第１画像領域２０に画像「Ｏ」が現れる際の、第１絵柄領域２１の色相と第１背景領域２２の色相との間の関係が、第２画像領域２５に画像「Ｋ」が現れる際の、第２絵柄領域２６の色相と第２背景領域２７の色相との間の関係に類似したものとなる。すなわち、第１画像領域２０に現れる画像「Ｏ」が媒体１０の利用者に与える色の印象と、第２画像領域２５に現れる画像「Ｋ」が媒体１０の利用者に与える色の印象とは、類似したものとなっている。これによって、画像が現れる領域や画像の色相が白色光源の切替に応じて切り替わることを、媒体１０の利用者に気付かれにくくすることができる。このことによっても、画像１２のパターンの全容が解明されることを抑制することができる。これによって、媒体１０により構成される有価証券が偽造されることをさらに抑制することができる。
また、第１画像領域２０および第２画像領域２５に現れる画像を確認するだけでなく、第１ベクトルＶ１の向きと第２ベクトルＶ２の向きとが一致していることをさらに確認することにより、媒体１０から構成される有価証券が正規のものであるかどうかの検査の信頼性をより高くすることができる。
【００７０】
また本実施の形態によれば、各領域２１，２２，２６，２７はいずれも、第１インク３３を含む第１サブ画素Ｐ、第２インク３５を含む第２サブ画素Ｙおよび色相変化インク３１を含む第３サブ画素Ｍを組み合わせることによって構成されている。すなわち本実施の形態によれば、高い偽造防止性を備えた画像１２を、１種類の色相変化インクおよび２種類の非色相変化インクを組み合わせることによって構成することができる。このため、高い偽造防止性を備えた媒体１０を安価に提供することができる。
【００７１】
（変形例）
なお本実施の形態において、第１白色光を発光する第１白色光源として、三波長形蛍光灯が用いられ、第２白色光を発光する第２白色光源として、白色ＬＥＤが用いられる例を示した。しかしながら、これに限られることはなく、第１白色光源または第２白色光源として、普通形蛍光灯などのその他の白色光源を用いてもよい。参考までに、普通形蛍光灯から発光された白色光の発光スペクトルの例を図１０に示す。
【００７２】
また本実施の形態において、媒体１０を観察するために用いられる光として、互いに異なる発光スペクトルを有する２種類の白色光が用いられる例を示した。しかしながら、第１光が照射されたときに、第１絵柄領域２１および第１背景領域２２が異色の領域として視認され、かつ第２絵柄領域２６および第２背景領域２７が同色の領域として視認され、一方、第２光が照射されたときに、第１絵柄領域２１および第１背景領域２２が同色の領域として視認され、かつ第２絵柄領域２６および第２背景領域２７が異色の領域として視認される限りにおいて、第１光および第２光のタイプやスペクトルが特に限られることはない。
【００７３】
また本実施の形態において、各領域２１，２２，２６，２７を構成する各サブ画素の色相が、各サブ画素に含まれるインクの反射スペクトルに応じて決定される例を示した。すなわち、各サブ画素に含まれるインクとして、その反射スペクトルに特徴を有するインクが用いられる例を示した。しかしながら、これに限られることはなく、各サブ画素に含まれるインクとして、その蛍光スペクトルに特徴を有するインクが用いられてもよい。
【００７４】
また、各領域２１，２２，２６，２７の各基本画素２１ａ，２２ａ，２６ａ，２７ａに含まれる各サブ画素の数や種類が、上述の例に限られることはない。第１光が照射されたときに、第１絵柄領域２１および第１背景領域２２が異色の領域として視認され、かつ第２絵柄領域２６および第２背景領域２７が同色の領域として視認され、一方、第２光が照射されたときに、第１絵柄領域２１および第１背景領域２２が同色の領域として視認され、かつ第２絵柄領域２６および第２背景領域２７が異色の領域として視認され、さらに、第１ベクトルＶ１の向きと第２ベクトルＶ２の向きとが一致する限りにおいて、各基本画素２１ａ，２２ａ，２６ａ，２７ａを構成するサブ画素の数や種類を様々に設定することができる。
【００７５】
また本実施の形態において、各領域２１，２２，２６，２７がそれぞれ、規則的に並べられた複数の基本画素２１ａ，２２ａ，２６ａ，２７ａを含む例を示した。しかしながら、各領域２１，２２，２６，２７の色相の相を各領域の全域にわたってほぼ均一にすることができ、かつ、各領域間での色相の差を適切に実現することができる限りにおいて、各領域２１，２２，２６，２７におけるサブ画素の配置方法が特に限られることはない。例えば、まず、各領域２１，２２，２６，２７における各サブ画素の含有比率に応じて、各領域に配置される各サブ画素の数を決め、次に、決められた数の各サブ画素を各領域にランダムに配置してもよい。
【００７６】
なお、上述した実施の形態に対するいくつかの変形例を説明してきたが、当然に、複数の変形例を適宜組み合わせて適用することも可能である。
【符号の説明】
【００７７】
１０    媒体
１１    基材
１２    画像
２０  第１画像領域
２１  第１絵柄領域
２２  第１背景領域
２５  第２画像領域
２６  第２絵柄領域
２７  第２背景領域
３１  色相変化インク
３３  第１インク
３５  第２インク
４１  第１発光スペクトル
４２  第２発光スペクトル
Ｐ  第１サブ画素
Ｙ  第２サブ画素
Ｍ  第３サブ画素
Ｖ１  第１ベクトル
Ｖ２  第２ベクトル
【図１】
2014156025.tif 000004
【図２】
2014156025.tif 000005
【図３】
2014156025.tif 000006
【図４】
2014156025.tif 000007
【図５】
2014156025.tif 000008
【図６】
2014156025.tif 000009
【図７】
2014156025.tif 000010
【図８】
2014156025.tif 000011
【図９】
2014156025.tif 000012
【図１０】
2014156025.tif 000013
【図１１】
2014156025.tif 000014
【図１２】
2014156025.tif 000015
【図１３】
2014156025.tif 000016
【図１４】
2014156025.tif 000017
【図１５】
2014156025.tif 000018
【図１６】
2014156025.tif 000019
【図１７】
2014156025.tif 000020
【図１８】
2014156025.tif 000021